(57)【要約】  【課題】  本発明は、アイロン本体のタンクに水が自動的に供給されるアイロン装置において、スタンドタンクを安全に着脱でき、スタンドタンクの水が空または所定量以下がわかる、使い勝手のよいアイロン装置を得ることを目的とするものである。  【解決手段】  スタンドは、載置部を前上がりに傾斜させるとともに、スタンドタンクをスタンドの最前部に設け、スタンドタンクは、内部が視認可能な透明または半透明な材料で構成するとともに、スタンドタンクの少なくとも一部がアイロン本体のベースと電源コードリール装置との間に位置するように構成したものである。【選択図】  図１
2005040322.tif 000002
【特許請求の範囲】
【請求項１】
ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記アイロン本体タンクに供給される水を貯えるスタンドタンク、前記スタンドタンクの水を前記給水部に供給するポンプ装置、前記載置部に前記アイロン本体を載置した時に、前記アイロン本体の前記受電端子と電気的に接続される電極を有する給電部を備えたスタンドとを具備し、前記スタンドの前記スタンドタンクは、前記載置部の下方に設けたアイロン装置。
【請求項２】
スタンドは、載置部を前上がりに傾斜させるとともに、スタンドタンクを前記スタンドの最前部に設けた請求項１記載のアイロン装置。
【請求項３】
スタンドタンクは、内部が視認可能な透明または半透明な材料で構成した請求項１または２記載のアイロン装置。
【請求項４】
スタンドは、内部に電源コードリール装置を有し、アイロン本体を載置部に載置した時、スタンドタンクの少なくとも一部が前記アイロン本体のベースと前記電源コードリール装置との間に位置するよう構成した請求項１または２記載のアイロン装置。
【発明の詳細な説明】
【技術分野】
【０００１】
本発明は衣類等のしわ伸ばしを行うアイロン本体をスタンドに載置することにより、同アイロン本体のタンクに水が自動的に供給されるアイロン装置に関するものである。
【背景技術】
【０００２】
従来、この種のアイロン装置は、スタンドにスタンドタンクと載置部を設け、前記スタンドタンクは前記載置部の側方に配置され、同アイロン本体内に水が供給されるようになっていた（例えば、特許文献１参照）。
【特許文献１】特開平６−２３２００号公報
【発明の開示】
【発明が解決しようとする課題】
【０００３】
しかし、特許文献１に記載された構造のものでは、スタンドタンクが、載置部の側方に配置しているため、ベースが加熱することによりスタンドタンクの表面温度が上昇し、スタンドタンクが安全に着脱できないケースがあった。また、スタンドタンク内の水をアイロン本体に供給するポンプの温度が上昇し、給水能力を安定させることができないケースもあった。
【０００４】
そこで、本発明はスタンドタンクを載置部の下方に設けることにより、スタンドタンクやポンプの表面温度の上昇を抑制し、スタンドタンクを安全に着脱できるアイロン装置を得ることを第１の目的としている。
【０００５】
また、アイロンを掛ける場合において、スタンドタンクが空または所定量以下がわかる構成にすることにより、使い勝手のよいアイロン装置を得ることを第２の目的としている。
【課題を解決するための手段】
【０００６】
そして、上記第１の目的を達成するために本発明は、ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記アイロン本体タンクに供給される水を貯えるスタンドタンク、前記スタンドタンクの水を前記給水部に供給するポンプ装置、前記載置部に前記アイロン本体を載置した時に、前記アイロン本体の前記受電端子と電気的に接続される電極を有する給電部を備えたスタンドとを具備し、前記スタンドの前記スタンドタンクは、前記載置部の下方に設けたことを、第１の課題解決手段としている。
【０００７】
また、上記第２の目的を達成するために本発明は、スタンドは、載置部を前上がりに傾斜させるとともに、スタンドタンクを前記スタンドの最前部に設けたことを第２の課題解決手段としている。
【０００８】
また、本発明は、スタンドタンクは、内部が視認可能な透明または半透明な材料で構成したことを第３の課題解決手段としている。
【０００９】
また、本発明は、スタンドは、内部に電源コードリール装置を有し、アイロン本体を載置部に載置した時、スタンドタンクの少なくとも一部が前記アイロン本体のベースと前記電源コードリール装置との間に位置するよう構成したことを第４の課題解決手段としている。
【発明の効果】
【００１０】
本発明の請求項１に記載の発明によれば、ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記アイロン本体タンクに供給される水を貯えるスタンドタンク、前記スタンドタンクの水を前記給水部に供給するポンプ装置、前記載置部に前記アイロン本体を載置した時に、前記アイロン本体の前記受電端子と電気的に接続される電極を有する給電部を備えたスタンドとを具備し、前記スタンドの前記スタンドタンクは、前記載置部の下方に設けたため、スタンドタンクの表面の温度上昇を抑制し、スタンドタンクが安全に着脱できるアイロン装置を得られる。そして、前記スタンドタンクの水を前記給水部に供給するポンプ装置をスタンドタンクの下方に構成しているため、ポンプ装置の表面温度の上昇を抑制し給水能力を安定したアイロン装置を得られる。
【００１１】
また、請求項２に記載の発明によれば、スタンドは、載置部を前上がりに傾斜させるとともに、スタンドタンクを前記スタンドの最前部に設けたため、スタンドタンクの水が入る容量を最大限に確保できるとともに、スタンドタンクの水が空または所定量以下になるとひと目でわかり、使い勝手のよいアイロン装置を得ることができる。
【００１２】
また、請求項３に記載の発明によれば、スタンドタンクは、内部が視認可能な透明または半透明な材料で構成したことで、スタンドタンクはアイロンを掛ける場合においても、スタンドタンクの水が空または所定量以下になるとひと目でわかり、使い勝手のよいアイロン装置を得ることができる。
【００１３】
また、請求項４に記載の発明によれば、スタンドは、内部に電源コードリール装置を有し、アイロン本体を載置部に載置した時、スタンドタンクの少なくとも一部が前記アイロン本体のベースと前記電源コードリール装置との間に位置するよう構成することにより、ベースの加熱によるコードリールの表面温度の上昇を抑制し安全なアイロン掛けをすることができ、安心してアイロンがけを行うことができる。
【発明を実施するための最良の形態】
【００１４】
本発明の請求項１に記載の発明は、ヒータによって加熱されるベース、前記ベースに形成した気化室、前記気化室に供給される水を貯えるアイロン本体タンク、前記アイロン本体タンクに連通する受水部、および前記ヒータと電気的に接続された受電端子を有する受電部を備えたアイロン本体と、前記アイロン本体を載置する載置部、およびその載置部に前記アイロン本体を載置した時に、前記アイロン本体の前記受水部と接続される給水部、前記アイロン本体タンクに供給される水を貯えるスタンドタンク、前記スタンドタンクの水を前記給水部に供給するポンプ装置、前記載置部に前記アイロン本体を載置した時に、前記アイロン本体の前記受電端子と電気的に接続される電極を有する給電部を備えたスタンドとを具備し、前記スタンドの前記スタンドタンクは、前記載置部の下方に設けたため、スタンドタンクの表面温度の上昇を抑制できるとともに、スタンドタンクを安全に着脱することができる。
【００１５】
請求項２に記載の発明は、上記請求項１記載の発明において、スタンドは、載置部を前上がりに傾斜させるとともに、スタンドタンクを前記スタンドの最前部に設けたため、スタンドタンクはアイロンを掛ける場合においても、スタンドタンクが空または所定量以下となったことがわかり、使い勝手のよいアイロン装置を得ることができる。
【００１６】
請求項３に記載の発明は、上記請求項１または２記載の発明において、スタンドタンクは、内部が視認可能な透明または半透明な材料で構成したことで、スタンドタンクはアイロンを掛ける場合においても、スタンドタンクが空または所定量以下となったことがスタンドタンクを取りはずさなくても視認することができ、使い勝手のよいアイロン装置を得ることができる。
【００１７】
請求項４に記載の発明は、上記請求項１または２記載の発明において、スタンドは、内部に電源コードリール装置を有し、アイロン本体を載置部に載置した時、スタンドタンクの少なくとも一部が前記アイロン本体のベースと前記電源コードリール装置との間に位置するように構成することで、ベースの加熱によるコードリールの温度の上昇を抑制し安全なアイロン掛けをすることができる。
【実施例１】
【００１８】
以下、本発明の一実施例を図面を用いて説明する。図１〜２において、１はアイロン本体で、蓋体２に覆われた気化室３を形成したベース４、このベース４を加熱するヒータ５、前記気化室３に導水路６を介して連結したタンク７、このタンク７に水を供給するための受水部８、前記ヒータ５に接続された受電部９が設けられている。前記受水部８はアイロン本体１の持ち手の長手方向の延長線上において、前記受電部９より上方かつ後方に設けられている。
【００１９】
１２はスタンドで、前記アイロン本体１を前記ベース４の後部を下方にして傾斜載置する載置部１３と、アイロン本体１の本体タンク７に給水部１５および受水部８を介して供給する水を貯えるためのスタンドタンク１７を有している。
【００２０】
さらに、上記スタンド１２には、前記スタンドタンク１７に貯えられた水を給水部１５および受水部８を介してアイロン本体１の本体タンク７へ送るためのポンプ装置２２と、このポンプ装置２２の駆動とヒータ５への通電を制御する制御手段（図示は省略する）を有している。
【００２１】
スタンド１２の載置部１３は、前上がりに傾斜させてスタンド１２の上部に設けてあり、この載置部１３の下方で、かつ、スタンド１２の最前部にスタンドタンク１７を配置してある。そして、このスタンドタンク１７のさらに下方に、ポンプ装置２２を位置させている。
【００２２】
そして、スタンドタンク１７の下方で、ポンプ装置２２の後方には、電源コードリール装置２３が配置されている。
【００２３】
上記構成において、次に動作、作用を説明する。まず、アイロンがけを行うときはアイロン本体１をスタンド１２の載置部１３に載置してスタンド１２内部の電源コードリール装置２３より供給される電源を投入する。そして、アイロン本体１の本体タンク７とスタンド１２のスタンドタンク１７が連通状態となる。
【００２４】
そして、前記制御手段によってポンプ装置２２が駆動し、スタンドタンク１７の水は給水部１５および受水部８を介して、アイロン本体１のアイロン本体タンク７へ給水される。アイロン本体１のアイロン本体タンク７に所定の水量が給水されるとポンプ装置２２は停止する。
【００２５】
ここで、アイロン本体１はヒータ５により加熱され、アイロン本体１の掛け面は２００°近い高温になるが、スタンドタンク１７を載置部１３の下方に配置することにより、スタンドタンク１７の表面温度の上昇が抑制され、スタンドタンク１７が安全に着脱することができる。また、ポンプ装置２２はスタンドタンク１７の下方に配置されているので、ポンプ装置２２の温度上昇も抑制される。
【００２６】
また、スタンド１２の載置部１３を前上がりに傾斜させるとともに、スタンドタンク２２を前記スタンド１２の最前部に設けることにより、スタンドタンク２２の水が入る容量を最大限に確保できるとともに、スタンドタンク１２の水が空または所定量以下になるとひと目でわかるようにしてある。
【００２７】
また、アイロンがけ作業中にスタンドタンク１７の水が少なくなってくると、スタンドタンク１７をスタンド１２から取り外して水の補給を行う必要が生じるが、スタンドタンク１２を、内部が視認可能な透明または半透明な材料で構成してあるので、スタンドタンク１２の水が空または所定量以下になるとひと目でわかる。
【００２８】
また、アイロン本体１を載置部１３に載置した時、スタンドタンク１２の少なくとも一部がアイロン本体１のベース４と電源コードリール装置２３との間に位置しているので、スタンドタンクの水の冷却効果により、ベース４の加熱による電源コードリール装置２３の温度上昇が抑制されている。
【図面の簡単な説明】
【００２９】
【図１】本発明の実施例におけるアイロン装置の断面図
【図２】同アイロン装置のスタンドの平面図
【符号の説明】
【００３０】
１  アイロン本体
４  ベース
５  ヒータ
７  本体タンク
１２  スタンド
１３  載置部
１７  スタンドタンク
２２  ポンプ装置
２３  電源コードリール装置
【図１】
2005040322.tif 000003
【図２】
2005040322.tif 000004